(57)【要約】【課題】光学素子を効率良く冷却できるプロジェクターを提供することを目的とする。【解決手段】プロジェクターは、第１光変調素子と、第２光変調素子と、第１光変調素子の表面が面する第１空間の外側の第１位置において第１空間に面するように配置され、第１空間に向けて第１方向に空気を送風する第１給気口と、第１給気口と対向するように、かつ、第１空間の外側の第２位置において第１空間に面するように配置され、第１給気口からの空気の送風と同時に、第１空間に向けて第１方向の反対方向に空気を送風する第２給気口と、第１空間の外側の第３位置において第１空間に面するように配置され、第１空間の空気の少なくとも一部が排出される第１排気口と、第１排気口から排出される空気を、第２光変調素子の表面が面する第２空間に導く第１誘導路と、を備える。【選択図】図１
2012215749.tif 000002
【特許請求の範囲】
【請求項１】
第１光変調素子と、
第２光変調素子と、
前記第１光変調素子の表面が面する第１空間の外側の第１位置において前記第１空間に面するように配置され、前記第１空間に向けて空気を送風する第１給気口と、
前記第１給気口と対向する前記第１空間の外側の第２位置において前記第１空間に面するように配置され、前記第１空間に向けて空気を送風する第２給気口と、
前記第１空間の外側の第３位置において前記第１空間に面するように配置され、前記第１空間の空気の少なくとも一部が排出される第１排気口と、
前記第１排気口から排出される空気を、前記第２光変調素子の表面が面する第２空間に導く第１誘導路と、を備えるプロジェクター。
【請求項２】
第３光変調素子と、
前記第１排出口と対向する前記第１空間の外側の第４位置において前記第１空間に面するように配置され、前記第１空間の空気の少なくとも一部が排出される第２排気口と、
前記第２排気口から排出される空気を、前記第３光変調素子の表面が面する第３空間に導く第２誘導路と、を備える請求項１に記載のプロジェクター。
【請求項３】
前記第１光変調素子は、前記第１光変調素子の表面と第１軸及び前記第１軸と直交する第２軸を含む所定面とがほぼ平行となるように配置され、
前記第１、第２給気口は、前記第１軸に沿って配置され、
前記第１、第２排気口は、前記第２軸に沿って配置される請求項２に記載のプロジェクター。
【請求項４】
前記第２空間の外側の第５位置において前記第２空間に面するように配置され、前記第２空間に向けて第２方向に前記第１誘導路からの空気を送風する第３給気口と、
前記第２空間の外側の第６位置において前記第２空間に面するように配置され、前記第３給気口からの空気の送風と同時に、前記第２空間に向けて前記第２方向と異なる第３方向にファン装置からの空気を送風する第４給気口とを備える請求項１〜３のいずれか一項に記載のプロジェクター。
【発明の詳細な説明】
【技術分野】
【０００１】
本発明は、プロジェクターに関する。
【背景技術】
【０００２】
従来より、光源から射出された光束を画像情報に応じて変調して投影するプロジェクターにおいて、光変調素子に空気を送風して、その光変調素子を冷却する構成が知られている。例えば、特許文献１には、空気を衝突させて冷却を行う、いわゆる衝突冷却方式で冷却する技術が開示されている。
【先行技術文献】
【特許文献】
【０００３】
【特許文献１】特開２００８―１０７３８７号公報
【発明の概要】
【発明が解決しようとする課題】
【０００４】
従来のプロジェクターにおいては、赤色光（Ｒ）、緑色光（Ｇ）、及び青色光（Ｂ）の光路のそれぞれにおいて衝突冷却を行っていた。しかし、このような構成では、Ｒ、Ｇ、Ｂそれぞれの光路において空気を衝突させた後、その空気の排出が円滑にできない可能性がある。その結果、光路に送る空気の流量調整が困難となり、光変調素子の効率良く冷却することについての障害となっていた。
【０００５】
本発明の態様は、光変調素子等の光学素子を効率良く冷却できるプロジェクターを提供することを目的とする。
【課題を解決するための手段】
【０００６】
本発明の一態様に従えば、第１光変調素子と、第２光変調素子と、前記第１光変調素子の表面が面する第１空間の外側の第１位置において前記第１空間に面するように配置され、前記第１空間に向けて空気を送風する第１給気口と、前記第１給気口と対向する前記第１空間の外側の第２位置において前記第１空間に面するように配置され、前記第１空間に向けて空気を送風する第２給気口と、前記第１空間の外側の第３位置において前記第１空間に面するように配置され、前記第１空間の空気の少なくとも一部が排出される第１排気口と、前記第１排気口から排出される空気を、前記第２光変調素子の表面が面する第２空間に導く第１誘導路と、を備えるプロジェクターが提供される。
【０００７】
本発明の一態様によれば、第１給気口から送風された空気と第２給気口から送風された空気とによって、第１空間において、いわゆる衝突冷却が行われる。そのため、第１光変調素子を良好に冷却できる。また、第１排気口を設けたので、第１空間の空気は、第１排気口を介して、円滑に排出される。また、第１排気口から排出された空気は、第１誘導路によって第２空間に導かれるため、第１、第２給気口から送風された空気で、第２光変調素子も冷却することができる。したがって、第１、第２光変調素子を効率良く冷却できる。
【０００８】
第３光変調素子と、前記第１排出口と対向する前記第１空間の外側の第４位置において前記第１空間に面するように配置され、前記第１空間の空気の少なくとも一部が排出される第２排気口と、前記第２排気口から排出される空気を、前記第３光変調素子の表面が面する第３空間に導く第２誘導路と、を備える構成でもよい。これにより、第１空間の空気は、第２排気口を介して、円滑に排出される。また、第２排気口から排出された空気は、第２誘導路によって第３空間に導かれるため、第１、第２給気口から送風された空気で、第３光変調素子も冷却することができる。したがって、第１、第２、第３光変調素子を効率良く冷却できる。
【０００９】
前記第１光変調素子は、前記第１光変調素子の表面と第１軸及び前記第１軸と直交する第２軸を含む所定面とがほぼ平行となるように配置され、前記第１、第２給気口は、前記第１軸に沿って配置され、前記第１、第２排気口は、前記第２軸に沿って配置される構成でもよい。第１，第２給気口が第１軸に沿って配置されることにより、第１給気口からの空気と第２給気口からの空気とは十分に衝突される。したがって、効率良い衝突冷却が実現される。また、第１、第２排気口は、第１軸と直交する第２軸に沿って配置されるため、第１空間において衝突した空気は、第１、第２排気口から円滑に排出される。
【００１０】
前記第２空間の外側の第５位置において前記第２空間に面するように配置され、前記第２空間に向けて第２方向に前記第１誘導路からの空気を送風する第３給気口と、前記第２空間の外側の第６位置において前記第２空間に面するように配置され、前記第３給気口からの空気の送風と同時に、前記第２空間に向けて前記第２方向と異なる第３方向にファン装置からの空気を送風する第４給気口とを備える構成でもよい。これにより、第１空間の空気は、第３給気口より第２空間に円滑に送風される。また、第２空間には、ファン装置からの空気が第４給気口より送風されるため、第３給気口から送風された空気と第４給気口から送風された空気とによって、第２空間において、いわゆる衝突冷却が行われる。そのため、第２光変調素子を良好に冷却できる。また、第４給気口からの空気は、ファン装置から能動的に供給されるため、その空気の力によって、第２空間の空気は、円滑に排出される。
【図面の簡単な説明】
【００１１】
【図１】本実施形態に係るプロジェクターの一例を示す図である。
【図２】本実施形態に係るプロジェクターの一部を示す斜視図である。
【図３】本実施形態に係るプロジェクターの一部を示す平面図である。
【図４】本実施形態に係るプロジェクターの一部を示す側面図である。
【図５】本実施形態に係る冷却システムの一例を示す模式図である。
【発明を実施するための形態】
【００１２】
以下、本発明の実施形態について図面を参照しながら説明するが、本発明はこれに限定されない。以下の説明においては、ＸＹＺ直交座標系を設定し、このＸＹＺ直交座標系を参照しつつ各部の位置関係について説明する。水平面内においてプロジェクター１から光が投射される方向をＸ軸方向、水平面内においてＸ軸方向と直交する方向をＹ軸方向、Ｘ軸方向及びＹ軸方向のそれぞれと直交する方向（すなわち鉛直方向）をＺ軸方向とする。また、Ｘ軸、Ｙ軸、及びＺ軸まわりの回転（傾斜）方向をそれぞれ、θＸ、θＹ、及びθＺ方向とする。
【００１３】
図１及び図２は、本実施形態に係るプロジェクター１の一例を示す模式図である。図１は、プロジェクター１が有する光学ユニット３の一例を示す図である。図２は、プロジェクター１が有する冷却システム２の一例を示す模式図である。
【００１４】
図１及び図２に示すように、本実施形態において、プロジェクター１は、外装ケース１００と、外装ケース１００の内部空間ＳＰに配置された冷却システム２と、光が通過する光学素子を複数有する光学ユニット３とを備える。
【００１５】
図１に示すように、本実施形態において、光学ユニット３は、照明光学系４と、色分離光学系５と、リレー光学系６と、液晶パネル１０、２０、３０を含む画像形成系７と、色合成光学系４０と、投射光学系８と、収容筐体９とを備える。
【００１６】
照明光学系４は、光源装置４０１と、第１レンズアレイ４０２と、第２レンズアレイ４０３と、偏光変換素子４０４と、重畳レンズ４０５とを備えている。
【００１７】
光源装置４０１は、光源ランプ（光源）４０１Ａと、リフレクタ４０１Ｂとを有する。光源ランプ４０１Ａは、例えばハロゲンランプを含む。リフレクタ４０１Ｂは、例えば放物面鏡を含む。光源ランプ４０１Ａから射出された放射状の光は、リフレクタ４０１Ｂで反射する。リフレクタ４０１Ｂは、光源ランプ４０１Ａからの光を平行光に変換する。
【００１８】
第１、第２レンズアレイ４０２、４０３はそれぞれ、例えばマトリクス状に配置された複数のマイクロレンズを含む。第２レンズアレイ４０３は、重畳レンズ４０５とともに、光源装置４０１からの光を均一化して、液晶パネル１０、２０、３０を照明する。
【００１９】
偏光変換素子４０４は、第２レンズアレイ４０３と重畳レンズ４０５との間に配置される。偏光変換素子４０４は、第２レンズアレイ４０３からの光を一定方向の偏光光に変換する。偏光変換素子４０４からの光（偏光光）は、重畳レンズ４０５によって液晶パネル１０、２０、３０に重畳される。
【００２０】
色分離光学系５は、２つのダイクロイックミラー５０１、５０２と、反射ミラー５０３とを有する。色分離光学系５は、照明光学系４からの光を、赤（Ｒ）、緑（Ｇ）、青（Ｂ）の３色の色光に分離する。以下の説明において、赤の色光を適宜、赤色光、と称し、緑の色光を適宜、緑色光、と称し、青の色光を適宜、青色光、と称する。
【００２１】
ダイクロイックミラー５０１は、照明光学系４からの光のうち、赤色光成分及び緑色光成分を透過し、青色光成分を反射する。ダイクロイックミラー５０２は、ダイクロイックミラー５０１からの光のうち、赤色光成分を透過し、緑色光成分を反射する。反射ミラー５０３は、ダイクロイックミラー５０２からの光（赤色光）を反射する。
【００２２】
画像形成系７は、入射した光を画像情報に応じて変調して、合成する。画像形成系７は、色分離光学系５からの各色光が入射する入射側偏光板８１、８３、８５と、それら入射側偏光板８１、８３、８５の後段に配置される液晶パネル１０、２０、３０と、各液晶パネル１０、２０、３０の後段に配置される射出側偏光板８２、８４、８６と、色合成光学系４０とを備えている。
【００２３】
入射側偏光板８１、８３、８５は、色分離光学系５からの各色光のうち、一定方向の偏光光のみ透過させ、その他の光を吸収する。 射出側偏光板８２、８４、８６は、液晶パネル１０、２０、３０からの光のうち、所定方向の偏光光のみ透過させ、その他の光を吸収する。入射側偏光板８１と射出側偏光板８２とは、互いの偏光軸の方向が直交するように配置される。同様に、入射側偏光板８３と射出側偏光板８４とは、互いの偏光軸の方向が直交するように配置される。入射側偏光板８５と射出側偏光板８６とは、互いの偏光軸の方向が直交するように配置される。
【００２４】
本実施形態において、液晶パネル１０は、緑色光用の液晶パネルである。液晶パネル２０は、青色光用の液晶パネルである。液晶パネル３０は、赤色光用の液晶パネルである。
【００２５】
色分離光学系５からの青色光は、液晶パネル２０に供給される。本実施形態においては、ダイクロイックミラー５０１で反射した青色光が、反射ミラー５０３で反射し、フィールドレンズ９２及び入射側偏光板８３を介して、液晶パネル２０に入射する。
【００２６】
色分離光学系５からの緑色光は、液晶パネル１０に入射する。本実施形態においては、ダイクロイックミラー５０２で反射した緑色光が、フィールドレンズ９１及び入射側偏光板８１を介して、液晶パネル１０に入射する。
【００２７】
色分離光学系５からの赤色光は、液晶パネル３０に入射する。本実施形態においては、ダイクロイックミラー５０２を透過した赤色光は、リレー光学系６、フィールドレンズ９３、及び入射側偏光板８５を介して、液晶パネル３０に入射する。なお、リレー光学系６は、入射側レンズ６０１と、リレーレンズ６０３と、反射ミラー６０２、６０４とを有する。
【００２８】
色合成光学系４０は、クロスダイクロイックプリズムを含み、射出側偏光板８２、８４、８６から射出され、液晶パネル１０、２０、３０によってそれぞれ変調された光を合成する。
【００２９】
投射光学系８は、色合成光学系４０で合成された光を拡大してスクリーンに投射する。
【００３０】
収容筐体９は、照明光学系４、色分離光学系５、リレー光学系６、液晶パネル１０、２０、３０を含む画像形成系７、色合成光学系４０、及び投射光学系３を保持する。収容筐体９は、照明光学系４、色分離光学系５、リレー光学系６、液晶パネル１０、２０、３０を含む画像形成系７、色合成光学系４０、及び投射光学系８を収容する空間を形成する。収容筐体９は、例えば合成樹脂製である。
【００３１】
次に、プロジェクター１の動作の一例について説明する。照明光学系４の光源装置４０１から光が射出されると、その光は、色分離光学系５に入射する。色分離光学系５は、照明光学系４からの光を、赤色光、緑色光、及び青色光に分離する。赤色光は、液晶パネル３０に入射する。液晶パネル３０は、赤色光に基づいて画像を形成する。緑色光は、液晶パネル１０に入射する。液晶パネル１０は、緑色光に基づいて画像を形成する。青色光は、液晶パネル２０に入射する。液晶パネル２０は、青色光に基づいて画像を形成する。液晶パネル１０、２０、３０から射出された光は、色合成光学系４０によって合成される。投射光学系３は、色合成光学系４０からの光を投射する。
【００３２】
図３は、本実施形態に係るプロジェクター１の一部を示す斜視図である。図４は、本実施形態に係るプロジェクター１の一部を上方から見た断面図である。図５は、本実施形態に係るプロジェクター１の一部を示す側面図である。図３及び図４は、プロジェクター１が有する光変調素子及び色合成光学系の近傍を示す。
【００３３】
図２、図３、図４、及び図５において、プロジェクター１は、第１光変調素子としての液晶パネル１０と、第２光変調素子としての液晶パネル２０と、第３光変調素子としての液晶パネル３０と、色合成光学系４０とを有する。また、プロジェクター１は、液晶パネル１０，２０，３０の入射面１０Ａ，２０Ａ、３０Ａに対向する入射側偏光板８１、８３，８５と、射出面１０Ｂ、２０Ｂ，３０Ｂに対向する射出側偏光板８２，８４，８６とを備える。
【００３４】
プロジェクター１は、液晶パネル１０の入射面１０Ａが面する空間Ｓ１０Ａの外側の第１位置において空間Ｓ１０Ａに面するように配置され、空間Ｓ１０Ａに向けて−Ｚ方向に空気を送風する給気口５１Ａと、給気口５１Ａと対向するように、かつ、空間Ｓ１０Ａの外側の第２位置において空間Ｓ１０Ａに面するように配置され、給気口５１Ａからの空気の送風と同時に、空間Ｓ１０Ａに向けて＋Ｚ方向に空気を送風する給気口５２Ａと、空間Ｓ１０Ａの外側の第３位置において空間Ｓ１０Ａに面するように配置され、空間Ｓ１０Ａの空気の少なくとも一部が排出される排気口６１Ａと、排気口６１Ａから排出される空気を、液晶パネル２０の入射面２０Ａが面する空間Ｓ２０Ａに導く誘導路６２Ａとを備えている。
【００３５】
また、プロジェクター１は、空間Ｓ１０Ａの外側の第４位置において空間Ｓ１０Ａに面するように配置され、空間Ｓ１０Ａの空気の少なくとも一部が排出される排気口６４Ａと、排気口６４Ａから排出される空気を、液晶パネル３０の入射面３０Ａが面する空間Ｓ３０Ａに導く誘導路６５Ａとを備えている。
【００３６】
本実施形態において、液晶パネル１０は、入射面１０ＡとＹＺ平面とがほぼ平行となるように入射面１０Ａが−Ｘ方向を向くように配置される。本実施形態において、上述の第１位置は、空間Ｓ１０Ａに対して＋Ｚ側の位置であり、第２位置は、空間Ｓ１０Ａに対して−Ｚ側の位置であり、給気口５１Ａと給気口５２Ａとは対向する。第３位置は、空間Ｓ１０Ａに対して＋Ｙ側の位置であり、第４位置は、空間Ｓ１０Ａに対して−Ｙ側の位置であり、排気口６１Ａと排気口６４Ａとは対向する。
【００３７】
本実施形態において、液晶パネル２０は、入射面２０ＡとＸＺ平面とがほぼ平行で入射面２０Ａが＋Ｙ方向を向くように配置される。液晶パネル３０は、入射面３０ＡとＸＺ平面とがほぼ平行で入射面３０Ａが−Ｙ方向を向くように配置される。
【００３８】
本実施形態において、プロジェクター１は、空間Ｓ２０Ａの外側の第５位置において空間Ｓ２０Ａに面するように配置され、空間Ｓ２０Ａに向けて＋Ｘ方向に誘導路６２Ａからの空気を送風する給気口６３Ａを備えている。また、プロジェクター１は、空間Ｓ２０Ａの外側の第６位置において空間Ｓ２０Ａに面するように配置され、空間Ｓ２０Ａに向けて＋Ｚ方向にファン装置１００からの空気を送風する給気口７１を備えている。上述の第５位置は、空間Ｓ２０Ａに対して−Ｘ側の位置であり、第６位置は、空間Ｓ２０Ａに対して−Ｚ側の位置である。
【００３９】
また、プロジェクター１は、空間Ｓ３０Ａの外側の第７位置において空間Ｓ３０Ａに面するように配置され、空間Ｓ３０Ａに向けて＋Ｘ方向に誘導路６５Ａからの空気を送風する給気口６６Ａを備えている。また、プロジェクター１は、空間Ｓ３０Ａの外側の第８位置において空間Ｓ３０Ａに面するように配置され、空間Ｓ３０Ａに向けて＋Ｚ方向にファン装置１００からの空気を送風する給気口７２を備えている。上述の第７位置は、空間Ｓ３０Ａに対して−Ｘ側の位置である。第８位置は、空間Ｓ３０Ａに対して−Ｚ側の位置である。
【００４０】
本実施形態において、液晶パネル１０は、入射面１０Ａの反対方向を向く射出面１０Ｂを有する。液晶パネル２０は、入射面２０Ａの反対方向を向く射出面２０Ｂを有する。液晶パネル３０は、入射面３０Ａの反対方向を向く射出面３０Ｂを有する。
【００４１】
プロジェクター１は、液晶パネル１０の射出面１０Ｂが面する空間Ｓ１０Ｂの外側の第９位置において空間Ｓ１０Ｂに面するように配置され、空間Ｓ１０Ｂに向けて−Ｚ方向に空気を送風する給気口５１Ｂと、給気口５１Ｂと対向するように、かつ、空間Ｓ１０Ｂの外側の第１０位置において空間Ｓ１０Ｂに面するように配置され、給気口５１Ｂからの空気の送風と同時に、空間Ｓ１０Ｂに向けて＋Ｚ方向に空気を送風する給気口５２Ｂと、空間Ｓ１０Ｂの外側の第１１位置において空間Ｓ１０Ｂに面するように配置され、空間Ｓ１０Ｂの空気の少なくとも一部が排出される排気口６１Ｂと、排気口６１Ｂから排出される空気を、液晶パネル２０の射出面２０Ｂが面する空間Ｓ２０Ｂに導く誘導路６２Ｂとを備えている。
【００４２】
また、プロジェクター１は、空間Ｓ１０Ｂの外側の第１２位置において空間Ｓ１０Ｂに面するように配置され、空間Ｓ１０Ｂの空気の少なくとも一部が排出される排気口６４Ｂと、排気口６４Ｂから排出される空気を、液晶パネル３０の射出面３０Ｂが面する空間Ｓ３０Ｂに導く誘導路６５Ｂとを備えている。
【００４３】
本実施形態において、上述の第９位置は、空間Ｓ１０Ｂに対して＋Ｚ側の位置であり、第１０位置は、空間Ｓ１０Ｂに対して−Ｚ側の位置であり、給気口５１Ｂと給気口５２Ｂとは対向する。第１１位置は、空間Ｓ１０Ｂに対して＋Ｙ側の位置であり、第１２位置は、空間Ｓ１０Ｂに対して−Ｙ側の位置であり、排気口６１Ｂと排気口６４Ｂとは対向する。
【００４４】
本実施形態において、プロジェクター１は、空間Ｓ２０Ｂの外側の第１３位置において空間Ｓ２０Ｂに面するように配置され、空間Ｓ２０Ｂに向けて＋Ｘ方向に誘導路６２Ｂからの空気を送風する給気口６３Ｂを備えている。また、プロジェクター１は、空間Ｓ２０Ｂの外側の第１４位置において空間Ｓ２０Ｂに面するように配置され、空間Ｓ２０Ｂに向けて＋Ｚ方向にファン装置１００からの空気を送風する給気口７１を備えている。
【００４５】
上述の第１３位置は、空間Ｓ２０Ｂに対して−Ｘ側の位置であり、第１４位置は、空間Ｓ２０Ｂに対して−Ｚ側の位置である。
【００４６】
また、プロジェクター１は、空間Ｓ３０Ｂの外側の第１５位置において空間Ｓ３０Ｂに面するように配置され、空間Ｓ３０Ｂに向けて＋Ｘ方向に誘導路６５Ｂからの空気を送風する給気口６６Ｂを備えている。また、プロジェクター１は、空間Ｓ３０Ｂの外側の第１６位置において空間Ｓ３０Ｂに面するように配置され、空間Ｓ３０Ｂに向けて＋Ｚ方向にファン装置１００からの空気を送風する給気口７２を備えている。上述の第１５位置は、空間Ｓ３０Ｂに対して−Ｘ側の位置である。第１６位置は、空間Ｓ３０Ｂに対して−Ｚ側の位置である。
【００４７】
本実施形態においては、冷却システム２が、給気口５１Ａ、５１Ｂ、５２Ａ、５２Ｂ、７１、７２、ファン装置１００、第１部材１０１、及び第２部材１０２を有する。第１部材１０１は、排気口６１Ａ、６１Ｂ、誘導路６２Ａ、６２Ｂ、及び給気口６３Ａ、６３Ｂを有し、第２部材１０２は、排気口６４Ａ、６４Ｂ、誘導路６５Ａ、６５Ｂ、及び給気口６６Ａ、６６Ｂを有する。
【００４８】
ファン装置１００は、プロジェクター１の外部空間の空気（外気）をプロジェクター１の内部空間に取り入れる。本実施形態においては、給気口５１Ａ、５１Ｂ、５２Ａ、５２Ｂは、ファン装置１００からの空気を空間Ｓ１０Ａ、Ｓ１０Ｂに送風する。給気口７１は、ファン装置１００からの空気を空間Ｓ２０Ａ、Ｓ２０Ｂに送風する。給気口７２は、ファン装置１００からの空気を空間Ｓ３０Ａ、Ｓ３０Ｂに送風する。
【００４９】
本実施形態においては、例えば光源装置４０１から光が射出される期間の少なくとも一部において、ファン装置１００が作動する。ファン装置１００からの空気は、給気口５１Ａ、５２Ａ、５１Ｂ、５２Ｂ、７１、７２に送風される。
【００５０】
給気口５１Ａは、空間Ｓ１０Ａに対して、＋Ｚ側から空気を送風する。給気口５１Ａは、−Ｚ方向に空気を送風する。給気口５２Ａは、空間Ｓ１０Ａに対して、−Ｚ側から空気を送風する。給気口５２Ａは、＋Ｚ方向に空気を送風する。
【００５１】
本実施形態において、給気口５１Ａからの空気と給気口５２Ａからの空気とは、空間Ｓ１０Ａにおいて衝突する。例えば図２及び図５に示すように、給気口５１Ａからの空気と給気口５２Ａからの空気とは、空間Ｓ１０Ａのほぼ中央において衝突する。これにより、空間Ｓ１０Ａにおいて、衝突により乱流が発生し、空間Ｓ１０Ａにおいて入射面１０Ａと偏光板８１が冷却される。乱流となった空気からは、排気口６１Ａに向かう空気の流れと、排気口６４Ａに向かう空気の流れとが生成される。
【００５２】
排気口６１Ａから排出される空気は、誘導路６２Ａを流れる。誘導路６２Ａの空気は、給気口６３Ａから空間Ｓ２０Ａに送風される。給気口６３Ａから空間Ｓ２０Ａに対する空気の送風と同時に（並行して）、空間Ｓ２０Ａに対して給気口７１から空気が送風される。空間Ｓ２０Ａにおいて、給気口６３Ａから送風された空気と、給気口７１から送風された空気が衝突して乱流が発生し、空間Ｓ２０Ａにおいて入射面２０Ａと偏光板８３が冷却される。空間Ｓ２０Ａの空気は、空間Ｓ２０Ａに対して＋Ｚ側に配置されている排気口から排出される。
【００５３】
排気口６４Ａから排出される空気は、誘導路６５Ａを流れる。誘導路６５Ａの空気は、給気口６６Ａから空間Ｓ３０Ａに送風される。給気口６６Ａから空間Ｓ３０Ａに対する空気の送風と同時に（並行して）、空間Ｓ３０Ａに対して給気口７２から空気が送風される。空間Ｓ３０Ａにおいて、給気口６６Ａから送風された空気と、給気口７２から送風された空気が衝突して乱流が発生し、空間Ｓ３０Ａにおいて入射面３０Ａと偏光板８５が冷却される。空間Ｓ３０Ａの空気は、空間Ｓ３０Ａに対して＋Ｚ側に配置されている排気口から排出される。
【００５４】
本実施形態においては、排気口６１Ａから排出される単位時間当たりの空気の量と、排気口６４Ａから排出される単位時間当たりの空気の量とは、ほぼ等しい。換言すれば、誘導路６２Ａを介して空間Ｓ１０Ａから空間Ｓ２０Ａに送風される単位時間当たりの空気の量と、誘導路６５Ａを介して空間Ｓ１０Ａから空間Ｓ３０Ａに送風される単位時間当たりの空気の量とは、ほぼ等しい。
【００５５】
給気口５１Ｂは、空間Ｓ１０Ｂに対して、＋Ｚ側から空気を送風する。給気口５１Ｂは、−Ｚ方向に空気を送風する。給気口５２Ｂは、空間Ｓ１０Ｂに対して、−Ｚ側から空気を送風する。給気口５２Ｂは、＋Ｚ方向に空気を送風する。
【００５６】
本実施形態において、給気口５１Ｂからの空気と給気口５２Ｂからの空気とは、空間Ｓ１０Ｂにおいて衝突する。例えば、給気口５１Ｂからの空気と給気口５２Ｂからの空気とは、空間Ｓ１０Ｂのほぼ中央において衝突する。これにより、空間Ｓ１０Ｂにおいて、衝突により乱流が発生し、空間Ｓ１０Ｂにおいて射出面１０Ｂと偏光板８２が冷却される。乱流となった空気からは、排気口６１Ｂに向かう空気の流れと、排気口６４Ｂに向かう空気の流れとが生成される。
【００５７】
排気口６１Ｂから排出される空気は、誘導路６２Ｂを流れる。誘導路６２Ｂの空気は、給気口６３Ｂから空間Ｓ２０Ｂに送風される。給気口６３Ｂから空間Ｓ２０Ｂに対する空気の送風と同時に（並行して）、空間Ｓ２０Ｂに対して給気口７１から空気が送風される。空間Ｓ２０Ｂにおいて、給気口６３Ｂから送風された空気と、給気口７１から送風された空気が衝突して乱流が発生し、空間Ｓ２０Ｂにおいて射出面２０Ｂと偏光板８４が冷却される。空間Ｓ２０Ｂの空気は、空間Ｓ２０Ｂに対して＋Ｚ側に配置されている排気口から排出される。
【００５８】
排気口６４Ｂから排出される空気は、誘導路６５Ｂを流れる。誘導路６５Ｂの空気は、給気口６６Ｂから空間Ｓ３０Ｂに送風される。給気口６６Ｂから空間Ｓ３０Ｂに対する空気の送風と同時に（並行して）、空間Ｓ３０Ｂに対して給気口７２から空気が送風される。空間Ｓ３０Ｂにおいて、給気口６６Ｂから送風された空気と、給気口７２から送風された空気が衝突して乱流が発生し、空間Ｓ３０Ｂにおいて射出面３０Ｂと偏光板８６が冷却される。空間Ｓ３０Ｂの空気は、空間Ｓ３０Ｂに対して＋Ｚ側に配置されている排気口から排出される。
【００５９】
本実施形態においては、排気口６１Ｂから排出される単位時間当たりの空気の量と、排気口６４Ｂから排出される単位時間当たりの空気の量とは、ほぼ等しい。換言すれば、誘導路６２Ｂを介して空間Ｓ１０Ｂから空間Ｓ２０Ｂに送風される単位時間当たりの空気の量と、誘導路６５Ｂを介して空間Ｓ１０Ｂから空間Ｓ３０Ｂに送風される単位時間当たりの空気の量とは、ほぼ等しい。
【００６０】
以上により、液晶パネル１０、２０、３０が空気によって冷却される。また、入射側偏光板８１、８３、８５、及び射出側偏光板８２、８４、８６が空気によって冷却される。
【００６１】
以上説明したように、本実施形態によれば、液晶パネル１０の表面１０Ａ、１０Ｂが面する空間Ｓ１０Ａ、Ｓ１０Ｂに向けて、給気口５１Ａ、５１Ｂから−Ｚ方向に空気を送風するとともに、その給気口５１Ａ、５１Ｂからの空気の送風と並行して、給気口５２Ａ、５２Ｂから＋Ｚ方向に空気を送風することによって、液晶パネル１０が効率良く冷却される。また、空間Ｓ１０Ａ、Ｓ１０Ｂの空気は、排気口６１Ａ、６１Ｂから排出されて、誘導路６２Ａ、６２Ｂによって液晶パネル２０の表面２０Ａ、２０Ｂが面する空間Ｓ２０Ａ、Ｓ２０Ｂに導かれるので、液晶パネル２０が効率良く冷却される。
【００６２】
本実施形態によれば、給気口５１Ａ、５１Ｂから送風された空気と給気口５２Ａ、５２Ｂから送風された空気とによって、空間Ｓ１０Ａ、Ｓ１０Ｂにおいて、いわゆる衝突冷却が行われる。そのため、液晶パネル１０を良好に冷却できる。また、排気口６１Ａ、６１Ｂ、６４Ａ、６４Ｂを設けたので、空間Ｓ１０Ａの空気は、排気口６１Ａ、６４Ａを介して、円滑に排出され、空間Ｓ１０Ｂの空気は、排気口６１Ｂ，６４Ｂを介して、円滑に排出される。また、排気口６１Ａ、６１Ｂから排出された空気は、誘導路６２Ａ、６２Ｂを介して空間Ｓ２０Ａ、Ｓ２０Ｂに導かれ、排気口６４Ａ、６４Ｂから排出された空気は、誘導路６５Ａ、６５Ｂを介して空間Ｓ３０Ａ、Ｓ３０Ｂに導かれる。そのため、給気口５１Ａ、５１Ｂ、５２Ａ、５２Ｂから送風された空気で、液晶パネル２０、３０も冷却することができる。したがって、液晶パネル１０、２０、３０を効率良く冷却できる。
【００６３】
なお、本実施形態においては、プロジェクター１が３つの液晶パネル１０、２０、３０を有する、いわゆる３ＬＣＤ方式のプロジェクターであることとしたが、２つの液晶パネルを有する方式でもよい。
【００６４】
なお、本実施形態においては、排気口６１Ａと排気口６４Ａとは対向することとしたが、対向しなくてもよい。排気口６１Ａ及び排気口６４Ａは、互いに対向しなくても、空間Ｓ１０Ａに面するように配置されることにより、空間Ｓ１０Ａの空気を排出することができる。同様に、排気口６１Ｂと排気口６４Ｂとは対向しなくてもよい。
【００６５】
なお、本実施形態においては、給気口５１Ａ、５２ＡがＺ軸に沿って配置されることとしたが、ずれて配置されてもよい。例えば、給気口５１Ａが−Ｚ方向を向くように配置され、給気口５２Ａが、Ｚ軸に対して傾斜する方向に向くように配置されてもよい。また、給気口５１Ａと給気口５２Ａとは対向しなくてもよい。同様に、給気口５１Ｂと給気口５２ＢとはＺ軸に沿って配置されなくてもよい。また、排気口６１Ａと排気口６４Ａとは、Ｙ軸に沿って配置されてなくてもよいし、排気口６１Ｂと排気口６４Ｂとは、Ｙ軸に沿って配置されてなくてもよい。
【００６６】
なお、本実施形態においては、液晶パネル１０の入射面１０Ａが面する空間Ｓ１０Ａ及び射出面１０Ｂが面する空間Ｓ１０Ｂの両方に空気を送風することとしたが、空間１０Ａ及び空間１０Ｂのいずれか一方のみに空気を送風してもよい。
【００６７】
なお、本実施形態においては、光変調素子が液晶パネルであることとしたが、例えばデジタルマイクローミラーでもよい。また、複数の偏光板８１〜８６の少なくとも一つが省略されてもよい。
【符号の説明】
【００６８】
１…プロジェクター、２…冷却システム、３…光学ユニット、１０…液晶パネル、１０Ａ…入射面、１０Ｂ…射出面、２０…液晶パネル、２０Ａ…入射面、２０Ｂ…射出面、３０…液晶パネル、３０Ａ…入射面、３０Ｂ…射出面、５１Ａ…給気口、５１Ｂ…給気口、５２Ａ…給気口、５２Ｂ…給気口、６１Ａ…排気口、６１Ｂ…排気口、６２Ａ…誘導路、６２Ｂ…誘導路、６３Ａ…給気口、６３Ｂ…給気口、６４Ａ…排気口、６４Ｂ…排気口、６５Ａ…誘導路、６５Ｂ…誘導路、６６Ａ…給気口、６６Ｂ…給気口、８１…入射側偏光板、８２…射出側偏光板、８３…入射側偏光板、８４…射出側偏光板、８５…入射側偏光板、８６…射出側偏光板、１００…ファン装置、１０１…第１部材、１０２…第２部材、Ｓ１０Ａ…空間、Ｓ１０Ｂ…空間、Ｓ２０Ａ…空間、Ｓ２０Ｂ…空間、Ｓ３０Ａ…空間、Ｓ３０Ｂ…空間
【図１】
2012215749.tif 000003
【図２】
2012215749.tif 000004
【図３】
2012215749.tif 000005
【図４】
2012215749.tif 000006
【図５】
2012215749.tif 000007